(57)【要約】【課題】空気圧縮機等の駆動源や電気回路を必要とすることなく、障子の開閉動作に伴って自動的に清掃が行われる建具を提供すること。【解決手段】建具１は、内障子２０の下框２２及び外障子３０の下框３２のそれぞれに配置される戸車４１と、戸車４１の回転力によって動作する連動機構６０と、連動機構６０の動作によって伝達される戸車４１の回転力を駆動源として空気を下框３２の下側に吐出する空気送出機構１００と、を備える。連動機構６０は、戸車ギア４２、伝達ギア６１，６２，６３，６４，６５と、これらのギアから伝達される戸車４１の回転力によって直線移動するラック６６と、を有する。また、空気送出機構１００は、ラック６６が固定されるシリンダ部８１及びシリンダ部８１の内側に配置されるピストン部８２を有し、ラック６６の移動によってシリンダ部８１の内部の空気が圧縮されて吐出される。【選択図】図４
2019100073.tif 000002
【特許請求の範囲】
【請求項１】
スライド移動する障子を備える建具であって、
前記障子の下框に配置される戸車と、
前記戸車の回転力によって動作する連動機構と、
前記連動機構の動作によって伝達される前記戸車の回転力を駆動源として空気を前記下框の下側に吐出する空気送出機構と、
を備える建具。
【請求項２】
前記連動機構は、
前記戸車の回転を減速する１又は複数の伝達ギアと、
前記伝達ギアに噛合し、前記伝達ギアから伝達される前記戸車の回転力によって直線移動するラックと、
を有し、
前記空気送出機構は、
前記ラックが固定されるシリンダ部及び前記シリンダ部の内側に配置されるピストン部を有し、前記ラックの移動によって前記シリンダ部の内部の空気が圧縮されて吐出される請求項１に記載の建具。
【請求項３】
前記連動機構は、
前記戸車の回転を増速する１又は複数の伝達ギアを有し、
前記空気送出機構は、
前記伝達ギアの回転に伴って回転する羽根車を有する請求項１に記載の建具。
【請求項４】
前記連動機構は、
前記戸車の回転を増速する１又は複数の伝達ギアを有し、
前記空気送出機構は、
前記伝達ギアの回転によって駆動されるチューブポンプを有する請求項１に記載の建具。
【発明の詳細な説明】
【技術分野】
【０００１】
本発明は、スライド式の障子を備える建具に関する。
【背景技術】
【０００２】
スライド式の障子を備える建具において、障子の開閉動作に床に向かって空気を吹き出す構造を備える建具を開示するものとして特許文献１がある。特許文献１には、シールド可撓片を少なくとも下端面に設けたシールドドアを備えたシールド室の出入口の床面クリーニング方法において、シールド室の出入口の床面に、又はシールドドアの下端部に複数個の気体吹き出し小孔を設けて、ドアを締める際に出入口の床面の塵埃を気体の流れにより除去することが記載されている。
【先行技術文献】
【特許文献】
【０００３】
【特許文献１】特開平８−１９９９３７号公報
【発明の概要】
【発明が解決しようとする課題】
【０００４】
スライド式の障子において戸車を用いる場合、戸車の経路中に異物等があると戸車の破損を招くおそれがある。特許文献１のように、障子のスライド移動にともなって自動的に空気を吹き出す構造を採用すれば、掃除等を行わずに異物を除去することができる。しかしながら、特許文献１の構成では、ドアの開閉に応じて動作するリミットスイッチからの電気的な信号に基づいて電磁弁を制御して空気圧縮機を駆動しているため、空気圧縮機の配置スペースを確保したり、リミットスイッチ等の電気部品や電源を設置したりする必要が生じてしまう。
【０００５】
本発明は、空気圧縮機等や電気回路を必要とすることなく、障子の開閉動作に伴って自動的に清掃が行われる建具を提供することを目的とする。
【課題を解決するための手段】
【０００６】
本発明は、スライド移動する障子（例えば、後述の内障子２０、外障子３０）を備える建具（例えば、後述の建具１）であって、前記障子の下框（例えば、後述の下框２２，３２）に配置される戸車（例えば、後述の戸車４１，２２０，３２０）と、前記戸車の回転力によって動作する連動機構（例えば、後述の連動機構６０，２３０，３３０）と、前記連動機構の動作によって伝達される前記戸車の回転力を駆動源として空気を前記下框の下側に吐出する空気送出機構（例えば、後述の１００，２００，３００）と、を備える建具に関する。
【０００７】
前記連動機構（例えば、後述の連動機構６０）は、前記戸車の回転を減速する１又は複数の伝達ギア（例えば、後述の戸車ギア４２、伝達ギア６１，６２，６３，６４，６５）と、前記伝達ギアから伝達される前記戸車の回転力によって直線移動するラック（例えば、後述のラック６６）と、を有し、前記空気送出機構（例えば、後述の空気送出機構１００）は、前記ラックが固定されるシリンダ部（例えば、後述のシリンダ部８１）及び前記シリンダ部の内側に配置されるピストン部（例えば、後述のピストン部８２）を有し、前記ラックの移動によって前記シリンダ部の内部の空気が圧縮されて吐出されることが好ましい。
【０００８】
前記連動機構は、前記戸車の回転を増速する１又は複数の伝達ギア（例えば、後述の戸車ギア２２１、伝達ギア２５０，２６０，２７０）を有し、前記空気送出機構（例えば、後述の空気送出機構２００）は、前記伝達ギアの回転に伴って回転する羽根車（例えば、後述の羽根車２９０）を有することが好ましい。
【０００９】
前記連動機構（例えば、後述の連動機構３３０）は、前記戸車の回転を増速する１又は複数の伝達ギア（例えば、後述の戸車ギア３２１、伝達ギア３４０，３５０，３６０，３７０）を有し、前記空気送出機構（例えば、後述の空気送出機構３００）は、前記伝達ギアの回転によって駆動されるチューブポンプ（例えば、後述のチューブポンプ３８０）を有することが好ましい。
【発明の効果】
【００１０】
本発明の建具によれば、空気圧縮機等の駆動源や電気回路を必要とすることなく、障子の開閉動作に伴って自動的に清掃が行われる。
【図面の簡単な説明】
【００１１】
【図１】本発明の一実施形態に係る建具を室外側から見た図である。
【図２】第１実施形態の下框の内部に配置される戸車及び空気送出機構を示す縦断面図である。
【図３】第１実施形態の空気送出機構の内部構造を上側から示す斜視図である。
【図４】第１実施形態の空気送出機構の内部構造を示す縦断面図である。
【図５】第２実施形態の下框の内部に配置される戸車及び空気送出機構を示す縦断面図である。
【図６】第２実施形態の空気送出機構の内部構造を下側から示す斜視図である。
【図７】第２実施形態の空気送出機構のファン機構の内部構造を示す拡大斜視図である。
【図８】第３実施形態の下框の内部に配置される戸車及び空気送出機構を示す縦断面図である。
【発明を実施するための形態】
【００１２】
以下、本発明の好ましい実施形態について、図面を参照しながら説明する。図１は、本発明の一実施形態に係る建具１を室外側から見た図である。図１に示す建具１は、建物の開口部に固定される枠体１０と、枠体１０の内側にスライド移動可能に納められる内障子２０及び外障子３０と、を備える玄関引き戸である。
【００１３】
枠体１０は、上枠１１、下枠１２及び左右一対の縦枠１３，１４からなる。内障子２０は枠体１０の内側で見込方向室内側に位置し、外障子３０は見込方向室外側に位置する。
【００１４】
内障子２０は、上框２１と、下框２２と、戸先框２３と、召し合わせ框２４と、格子付ガラスパネル２５と、を備える。戸先框２３には引手２６及び戸先錠２７が配置される。同様に、外障子３０は、上框３１と、下框３２と、戸先框３３と、召し合わせ框３４と、格子付ガラスパネル３５と、を備え、戸先框３３には引手３６及び戸先錠３７が配置される。また、召し合わせ框３４には召し合わせ内外錠３８が配置される。
【００１５】
内障子２０の下框２２及び外障子３０の下框３２のそれぞれには、戸車４０，４１及び空気送出機構１００が配置される。次に、第１実施形態の戸車４０，４１及び空気送出機構１００について説明する。
【００１６】
図２は、第１実施形態の下框２２の内部に配置される戸車４０，４１及び空気送出機構１００を示す縦断面図である。図３は、第１実施形態の空気送出機構１００の内部構造を上側から示す斜視図である。なお、以下の説明では、内障子２０の下框２２に配置される戸車４０，４１及び空気送出機構１００について説明するが、外障子３０の下框３２に配置される戸車４０，４１及び空気送出機構１００も左右の向きが異なる以外は同様の構成である。
【００１７】
図２に示すように、戸車４０，４１及び空気送出機構１００は、下框２２の内部に配置される。下框２２には、その内部に上下を区画する壁部２９が形成され、この壁部２９に戸車４０及び空気送出機構１００固定されている。
【００１８】
下枠１２の上面には、内障子２０及び外障子３０をスライド移動させるためレール１５が形成されている。図３に示すように、戸車４０の周面にレール１５に嵌合する溝４６が形成されている。この戸車４０の溝４６にレール１５が嵌合した状態で回転する。一方、戸車４１は、戸車４０よりも戸先側から離れた位置でレール１５の上端面に接触する。戸車４１は、空気送出機構１００に接続されており、戸車４１の回転力によって空気送出機構１００が動作するようになっている。
【００１９】
図４は、第１実施形態の空気送出機構１００の内部構造を示す縦断面図である。図３及び図４に示すように、第１実施形態の空気送出機構１００は、ケーシング５１と、ケーシングカバー５２と、連動機構６０と、シリンダポンプ機構８０と、送風部９０と、を備える。
【００２０】
ケーシング５１及びケーシングカバー５２は、空気送出機構１００の外装をなす部材である。ケーシング５１には、連動機構６０、シリンダポンプ機構８０及び送風部９０等の構成が収容された状態でケーシング５１にケーシングカバー５２が取り付けられる。
【００２１】
連動機構６０は、戸車４１の回転力を直線運動に変換し、シリンダポンプ機構８０を動作させる機械的手段である。連動機構６０は、戸車ギア４２、複数の伝達ギア６１，６２，６３，６４，６５及びラック６６からなる。
【００２２】
戸車ギア４２は、戸車４１の回転に伴って一体的に回転する平歯車である。伝達ギア６１は、戸車ギア４２に噛み合う平歯車である。伝達ギア６２は、大歯車部６２１及び大歯車部６２１と一体的に回転する小歯車部６２２を備える２段式の平歯車であり、伝達ギア６３も大歯車部６３１及び小歯車部６３２を備える２段式の平歯車である。伝達ギア６２の大歯車部６２１が伝達ギア６１に噛み合うとともに小歯車部６２２が伝達ギア６３の大歯車部６３１に噛み合っている。伝達ギア６３の小歯車部６３２は平歯車である伝達ギア６４に噛み合っている。
【００２３】
伝達ギア６５は、ラック６６に噛み合うラックアンドピニオン機構のピニオンである。伝達ギア６５には伝達ギア６４の回転力が伝達され、当該伝達ギア６５の回転力によってラック６６が水平方向に移動する。ラック６６はシリンダポンプ機構８０に固定されており、伝達ギア６１，６２，６３，６４，６５を介して伝達された戸車４１の回転力によってラック６６が水平方向に移動することでシリンダポンプ機構８０が動作する。
【００２４】
戸車ギア４２、複数の伝達ギア６１，６２，６３，６４，６５は、少なくともその一部が減速ギアとなるように歯数が設定されており、戸車４１の回転が減速された状態でラック６６に伝達される。なお、図面において図示される戸車４１の戸車ギア４２や伝達ギア６１，６２，６３，６４，６５の歯は模式的なものであり、その歯数が図面に表される歯数に限定されるわけではない。
【００２５】
シリンダポンプ機構８０は、シリンダ部８１と、シリンダ部８１の内部に配置されるピストン部８２と、を備える。シリンダ部８１にはラック６６が固定され、ラック６６の移動に伴ってシリンダ部８１がピストン部８２に対して相対的に水平移動する。ピストン部８２には、空気の流路（図示省略）が形成されており、シリンダ部８１の移動に伴って内部で圧縮された空気が該流路を介して送風部９０に伝達される。第１実施形態では、シリンダ部８１は、ピストン部８２を収容する筒部（図示省略）と、該筒部を覆う外装部と、からなり、外装部にラック６６が固定されている。
【００２６】
送風部９０は、第１筒部９１と、第２筒部９２と、吐出チューブ８５と、を備える。第１筒部９１と第２筒部９２は連通しており、シリンダポンプ機構８０と吐出チューブ８５を接続する空気の流路となる。ラック６６の移動によって動作するシリンダポンプ機構８０から吐出された空気は、第１筒部９１及び第２筒部９２を通って吐出チューブ８５に至り、該吐出チューブ８５を通じて下框２２の下側に送られる。第１実施形態では、下框２２の内部で上下の空間を区画する上述の壁部２９に、吐出チューブ８５を通すための溝２９５が形成されており、該溝２９５を通じて吐出チューブ８５が壁部２９の下側に引き出されている（図２参照）。
【００２７】
空気送出機構１００は、内障子２０及び外障子３０が閉まる方向に移動するときに吐出チューブ８５から空気を吹き出すように連動機構６０が構成される。なお、内障子２０及び外障子３０が開く方向に移動するときに内障子２０（又は外障子３０）が移動したときに空気を吹き出すように構成することもできる。
【００２８】
上記第１実施形態によれば、以下のような効果を奏する。
建具１は、内障子２０の下框２２及び外障子３０の下框３２のそれぞれに配置される戸車４１と、戸車４１の回転力によって動作する連動機構６０と、連動機構６０の動作によって伝達される戸車４１の回転力を駆動源として空気を下框３２の下側に吐出する空気送出機構１００と、を備える。
【００２９】
これにより、内障子２０及び外障子３０の移動に伴って回転する戸車４１の回転力を利用して下框２２の下側に空気を吐出することができる。従って、気圧縮機等の駆動源や内障子２０及び外障子３０の動作にともなって駆動源を駆動させるためのスイッチ等の電気回路を別途用意する必要なく、内障子２０及び外障子３０の開閉動作に伴って自動的に下枠１２のレール１５を掃除できる機能を実現することができる。
【００３０】
第１実施形態の連動機構６０は、戸車４１の回転を減速する１又は複数の伝達ギアとして戸車ギア４２、伝達ギア６１，６２，６３，６４，６５と、これらのギアから伝達される戸車４１の回転力によって直線移動するラック６６と、を有する。また、空気送出機構１００は、ラック６６が固定されるシリンダ部８１及びシリンダ部８１の内側に配置されるピストン部８２を有し、ラック６６の移動によってシリンダ部８１の内部の空気が圧縮されて吐出される。
【００３１】
これにより、戸車４１の回転運動をラック６６によって直線移動に変換し、シリンダ部８１及びピストン部８２からなるシリンダポンプ機構８０による空気を吐き出す機構を容易に実現できる。また、戸車４１の回転は、戸車ギア４２、伝達ギア６１，６２，６３，６４，６５によって減速された状態でシリンダポンプ機構８０に伝達されるので、十分なトルクでシリンダポンプ機構８０を動作させることができるとともに、内障子２０及び外障子３０の移動範囲に応じて空気を継続的に吐出することもできる。
【００３２】
次に、第１実施形態と異なる構成の第２実施形態の空気送出機構２００について説明する。図５は、第２実施形態の下框２２の内部に配置される戸車２２０及び空気送出機構２００を示す縦断面図である。図６は、第２実施形態の空気送出機構２００の内部構造を下側から示す斜視図である。
【００３３】
図５及び図６に示すように、第２実施形態の空気送出機構２００は、ケーシング２１０と、戸車２２０の回転力を伝達する連動機構２３０と、連動機構２３０を介して伝達された戸車２２０の回転力によって駆動するファン機構２８０と、を備える。
【００３４】
連動機構２３０は、戸車２２０の回転力をファン機構２８０に伝達する機械的手段であり、戸車ギア２２１、複数の伝達ギア２５０，２６０，２７０からなる。戸車ギア２２１は、戸車２２０の回転に伴って一体的に回転する平歯車である。伝達ギア２５０は、小歯車部２５１と大歯車部２５２を備える２段式の平歯車である。伝達ギア２５０の小歯車部２５１に戸車ギア２２１が噛み合っている。伝達ギア２６０は、伝達ギア２５０の大歯車部２５２に噛み合う小歯車部２６１と、伝達ギア２７０に噛み合う大歯車部２６２と、を備える２段式の平歯車である。伝達ギア２７０は、ファン機構２８０に戸車２２０の回転力を伝達する平歯車であり、回転軸２７１がファン機構２８０に連結されている。
【００３５】
連動機構２３０を構成する戸車ギア２２１、複数の伝達ギア２５０，２６０，２７０は、少なくともその一部が増速ギアとなるように歯数が設定されており、戸車２２０の回転が増速された状態でファン機構２８０に伝達される。
【００３６】
ファン機構２８０は、送風口２８５を有するファンケース２８１と、ファンケース２８１の内部２８２に収容される羽根車２９０と、を備える。伝達ギア２７０は、ファンケース２８１の外側面に位置し、ファンケース２８１の内部２８２の羽根車２９０に回転軸２７１を介して連結されている。ファンケース２８１に形成される送風口２８５は下方を向いており、下枠１２のレール１５に対向する位置関係となっている。
【００３７】
図７は、第２実施形態の空気送出機構２００のファン機構２８０の内部構造を示す拡大斜視図である。本実施形態の羽根車２９０は、伝達ギア２７０の回転軸２７１が連結される円板部２９１と、円板部２９１の平面部分に回転中心を中心として放射状に形成される複数の羽根２９２と、を備える。羽根車２９０が伝達ギア２７０から伝達される戸車２２０の回転力によって回転し、羽根車２９０の回転によって生じた風がファンケース２８１の内部２８２から送風口２８５を通じて下方に吐出される。
【００３８】
上記第２実施形態によれば、以下のような効果を奏する。
第２実施形態における連動機構２３０は、戸車２２０の回転を増速する戸車ギア２２１、伝達ギア２５０，２６０，２７０を有し、空気送出機構２００は、伝達ギア２７０の回転に伴って回転する羽根車２９０を有する。
【００３９】
これにより、第１実施形態と同様に、空気圧縮機やスイッチ等を別途用意する必要なく、内障子２０及び外障子３０の開閉動作に伴って自動的に下枠１２のレール１５を掃除できる機能をシンプルな装置構成で実現できる。また、戸車２２０の回転は、戸車ギア２２１、伝達ギア２５０，２６０，２７０によって増速された状態で羽根車２９０に伝達されるので、高い回転数によって空気送出機構２００からの吐出量を効果的に向上させることができる。
【００４０】
また、第２実施形態では、下側に送風口２８５を有するファンケース２８１に羽根車２９０が内蔵されており、送風口２８５を通じて空気の吐出方向が下側を向いており、効率的に下枠１２のレール１５に向けて空気が吐出されるようになっている。
【００４１】
次に、第３実施形態の空気送出機構３００について説明する。図８は、第３実施形態の下框２２の内部に配置される戸車３２０及び空気送出機構３００を示す縦断面図である。
【００４２】
図８に示すように、第３実施形態の空気送出機構３００は、ケーシング３１０と、戸車３２０の回転力を伝達する連動機構３３０と、連動機構３３０を介して伝達された戸車３２０の回転力によって駆動するチューブポンプ３８０と、を備える。
【００４３】
連動機構３３０は、戸車３２０の回転力をチューブポンプ３８０に伝達する機械的手段であり、戸車ギア３２１、複数の伝達ギア３４０，３５０，３６０，３７０からなる。戸車ギア３２１は、戸車３２０の回転に伴って一体的に回転する平歯車である。伝達ギア３４０は、戸車ギア３２１に噛み合うとともに伝達ギア３５０に噛み合っている。伝達ギア３６０は、小歯車部３６１と大歯車部３６２を備える２段式の平歯車であり、小歯車部３６１に伝達ギア３５０が噛み合っており、大歯車部３６２に伝達ギア３７０が噛み合っている。伝達ギア３７０は、戸車ギア３２１、複数の伝達ギア３４０，３５０，３６０を介して伝達された戸車３２０の回転力をチューブポンプ３８０に伝達する平歯車であり、回転軸３７１がチューブポンプ３８０に連結されている。
【００４４】
戸車ギア３２１、複数の伝達ギア３４０，３５０，３６０は、少なくともその一部が増速ギアとなるように歯数が設定されており、戸車３２０の回転が増速された状態でチューブポンプ３８０に伝達される。
【００４５】
チューブポンプ３８０は、ロータ及びチューブ（何れも図示省略）が内蔵される本体部３８１と、本体部３８１に配置される吸引口３８２及び吐出口３８３と、吐出口３８３に接続される吐出チューブ３８５と、を備える。本体部３８１に内蔵されるチューブは、その一側が吸引口３８２に接続されるとともに他側が吐出口３８３に接続される。
【００４６】
伝達ギア３７０の回転軸３７１は本体部３８１に内蔵されるロータに連結されている。伝達ギア３７０の回転に連動して本体部３８１の内部でロータが回転しながらチューブを一側から他側に押圧することによって吸引口３８２から吸引された空気がやがて吐出口３８３から吐出される。吐出口３８３から吐出された空気は吐出チューブ３８５を通じて下方に吐出される。
【００４７】
本実施形態では、チューブポンプ３８０は空気送出機構３００の左右方向の一側に位置しており、戸車３２０は空気送出機構３００の左右方向の他側に位置している。そして、チューブポンプ３８０の吐出チューブ３８５は、戸車ギア３２１、複数の伝達ギア３４０，３５０，３６０，３７０が配置される面の裏側を通過して戸車３２０の近傍に位置するように取り回されるレイアウトになっている。これによって増速ギアとして機能する戸車ギア３２１、複数の伝達ギア３４０，３５０，３６０を配置するスペースを確保しつつ、戸車３２０の近傍で空気を吐出することが可能となっている。
【００４８】
上記第３実施形態によれば、以下のような効果を奏する。
第３実施形態における連動機構３３０は、戸車３２０の回転を増速する戸車ギア３２１、伝達ギア３４０，３５０，３６０，３７０を有し、空気送出機構３００は、伝達ギアの回転によって駆動されるチューブポンプ３８０を有する。
【００４９】
これにより、第１実施形態と同様に、空気圧縮機やスイッチ等を別途用意する必要なく、内障子２０及び外障子３０の開閉動作に伴って自動的に下枠１２のレール１５を掃除できる機能を実現することができるとともに、チューブポンプ３８０によって定量的に空気を吐出でき、安定的な自掃機能を実現できる。また、戸車３２０の回転は、戸車ギア３２１、伝達ギア３４０，３５０，３６０，３７０によって増速された状態でチューブポンプ３８０に伝達されるので、高い回転数によってチューブポンプ３８０のロータを回転させて空気送出機構３００からの吐出量を効果的に向上させることができる。
【００５０】
以上、本発明の好ましい実施形態について説明したが、本発明は、上述の実施形態に制限されるものではなく、適宜変更が可能である。
【００５１】
上記実施形態では、何れにおいても空気送出機構１００，２００，３００が一つ配置される例を説明したが、この構成に限定されない。建具が空気送出機構１００，２００，３００を複数備える構成としてもよい。例えば、内障子２０及び外障子３０の戸先側及び召し合わせ側の両方に空気送出機構１００，２００，３００を配置し、内障子２０及び外障子３０の移動範囲全域に空気を吐出する構成としてもよい。
【００５２】
また、第１実施形態や第３実施形態において、空気送出機構１００，３００を複数配置し、各空気送出機構１００，３００の吐出チューブ８５，３８５を最も戸先側に位置する空気送出機構１００，３００に集めて吐出する構成としてもよい。また、第２実施形態の空気送出機構２００の送風口２８５に吐出チューブを配置し、吐出チューブを戸先側の空気送出機構２００に集めてもよい。複数の吐出チューブを集める場合において、ガイド部を配置し、ガイド部によって空気を送り出す向きを調整する構成としてもよい。例えば、各吐出チューブの空気を送り出す方向を異なる方向とすることもできる。また、１本の吐出チューブから複数の吐出チューブに分岐し、戸先側と召し合わせ側の両方に空気を送り出す構成としてもよい。このように、空気送出機構１００，２００，３００は、複数の方向に空気を送出可能に構成される。
【００５３】
上記実施形態では、内障子２０及び外障子３０を備える建具１を例に説明したが、この種の建具に限定されるわけでなく、スライド移動する障子を備える種々の建具に適用することができる。例えば、玄関ドアではなく、引き違い窓等のサッシにも本発明を適用することができる。
【符号の説明】
【００５４】
１  建具
２０  内障子（障子）
２２  下框
３０  外障子（障子）
３２  下框
４１，２２０，３２０  戸車
４２，２２１，３２１  戸車ギア（伝達ギア）
６０，２３０，３３０  連動機構
６１，６２，６３，６４，６５  伝達ギア
６６  ラック
８０  シリンダポンプ機構
１００，２００，３００  空気送出機構
２５０，２６０，２７０  伝達ギア
２８１  ファンケース
２９０  羽根車
３４０，３５０，３６０，３７０  伝達ギア
３８０  チューブポンプ
【図１】
2019100073.tif 000003
【図２】
2019100073.tif 000004
【図３】
2019100073.tif 000005
【図４】
2019100073.tif 000006
【図５】
2019100073.tif 000007
【図６】
2019100073.tif 000008
【図７】
2019100073.tif 000009
【図８】
2019100073.tif 000010